(57)【特許請求の範囲】
【請求項１】
内部に配置された開口部を備える第１壁部と、
第１折り畳み線を中心に前記第１壁部の第１端部にヒンジ式に接続されて、中に配置される第１孔をさらに備える第２壁部と、
第２折り畳み線を中心に前記第１壁部の第２端部にヒンジ式に接続された第３壁部と、
第３折り畳み線を中心に前記第３壁部の端部にヒンジ式に接続されて、タブと第２孔とをさらに備える第４壁部と、
を含み、
前記第１壁部、前記第２壁部、前記第３壁部、及び前記第４壁部は、前記第１折り畳み線、前記第２折り畳み線、及び前記第３折り畳み線を中心に互いに折り畳まれて、第１状態で平坦な構造を形成し、
前記第１孔及び前記第２孔は同一形状を有し、前記第１孔及び前記第２孔は、前記第２折り畳み線を中心として前記第１壁と前記第３壁とが対面するように折り畳んだ場合に互いに重なる位置に、前記第２壁および前記第４壁にそれぞれ配置され、
前記第２壁及び前記第４壁部は、第２状態で表示フレームの底部を形成し、
前記第４壁部上の前記タブは、前記第２状態で前記第２壁部の前記第１孔内に保持されるようにする、揮発性物質を分配するための表示フレーム。
【請求項２】
前記表示フレームは、前記第２状態で三角形である、請求項１に記載の表示フレーム。
【請求項３】
ディスペンサーが前記第１壁部内の前記開口部内に配置される、請求項１または２に記載の表示フレーム。
【請求項４】
前記ディスペンサーは、前記揮発性物質を保持するブリスター、及び前記ブリスターの開放端に亘って延びる透過膜を含み、取り外し可能な不透過薄膜が前記揮発性物質の放出を防止するように前記透過膜の全体に亘って配置される、請求項３に記載の表示フレーム。
【請求項５】
ディスペンサーを含む第１壁部と、
第１折り畳み線を中心に前記第１壁部の第１端部にヒンジ式に接続されて、中に配置される第１孔をさらに備える第２壁部と、
第２折り畳み線を中心に前記第１壁部の第２端部にヒンジ式に接続された第３壁部と、
第３折り畳み線を中心に前記第３壁部の端部にヒンジ式に接続されて、タブと第２孔とをさらに備える第４壁部と、
を含み、
前記第１壁部、前記第２壁部、前記第３壁部、及び前記第４壁部は、前記第１折り畳み線、前記第２折り畳み線、及び前記第３折り畳み線を中心に互いに折り畳まれて、第１状態で平坦な構造を形成し、
前記第１孔及び前記第２孔は同一形状を有し、前記第１孔及び前記第２孔は、前記第２折り畳み線を中心として前記第１壁と前記第３壁とが対面するように折り畳んだ場合に互いに重なる位置に、前記第２壁および前記第４壁にそれぞれ配置され、
第２状態で三角形の構造を形成し、前記第２壁部及び前記第４壁部は、三角形の構造の底部を形成する、揮発性物質を分配するための分配システム。
【請求項６】
前記第４壁部上の前記タブは、前記第２状態で前記第２壁部の前記第２孔内に保持されるように適合される、請求項５に記載の分配システム。
【請求項７】
前記ディスペンサーは、揮発性物質を保持するブリスター、及び前記ブリスターの開放端に亘って延びる透過膜を含む、請求項５または６に記載の分配システム。
【請求項８】
前記ブリスターは、少なくとも部分的に前記第１壁部から突出して前記ディスペンサー内の前記揮発性物質の量がユーザに見えるように適合する、請求項７に記載の分配システム。
【請求項９】
取り外し可能な不透過薄膜が前記透過膜の全体に亘って配置されて前記揮発性物質の放出を防止する、請求項８に記載の分配システム。
【発明の詳細な説明】
【技術分野】
【０００１】
本発明は、一般的に揮発性物質分配システムに関し、具体的には、調節可能なチップボードホルダと組合わせた揮発性物質ディスペンサーに関する。
【背景技術】
【０００２】
揮発性物質ディスペンサーは、事務室や家庭に香りを提供するように用いられる。そのようなディスペンサーは、結合されたフォトフレーム及びポプリホルダのための装飾的デザインである。デザインは、互いに傾斜した前方及び後方パネルを含む。凹部は、写真を挿入する領域を提供するために、前方パネル内の中央に配置される。ブリッジ（ｂｒｉｄｇｅ）は、前方及び後方パネルの両方を接続している。
【０００３】
ディスペンサーのための他のこのような装飾的デザインは、結合された空気清浄剤及びフォトフレームを含む。フレームは、前方及び後方面を含み、前方面はそこから外側に延びる矩形の段差部を含み、後方面は平坦面である。開口部は、フレームの頂部に隣接した前方及び後方面を通って延びる。
【０００４】
また他のディスペンサーは、第１パネル及び第２パネルを含む。底部が第１パネル及び第２パネルに結合してテント状に装置を支持する土台を提供する。第２の側面パネルは、そこから延長されるタブを備える。第１の側面パネルと関連するタブを取り込む手段が提供される。側面パネルのうちの１つの開口部が揮発性物質を満たした容器を装着するために設けられる。
【０００５】
揮発性物質を放出するように適合された装置は、前方面内に配置された開口部を備える前方面及び後方面を備える表示フレームを含む。装置は、表示フレーム内に配置されたディスペンサーをさらに含む。ディスペンサーは、揮発性物質を保持するブリスター（ｂｌｉｓｔｅｒ）及びブリスターの開放端に亘って延びる透過膜を含む。後方面は、第１状態と第２状態との間で作動可能な一体の脚部材を含む。透過膜は、前方面に隣接するように配置されて、第１条件で揮発性物質の放出を防止し、第２条件で開口部を介して揮発性物質の放出を許容する。
【０００６】
揮発性物質を放出するように適合された他の装置は、後方面内に配置された開口部及び前方面及び後方面を備える表示フレームを含む。装置は、表示フレーム内に配置されたディスペンサーをさらに含む。ディスペンサーは、ブリスターの開放端部に亘って延びる透過膜及び揮発性物質を保持するブリスターを含む。後方面は、ヒンジで表示フレームの頂部に接続された一体の脚部材を含み、一体の脚部材は、ヒンジを中心に第１状態と第２状態との間で作動する。さらに、透過膜は、後方面に隣接するように配置され、それを介して揮発性物質の放出を調節する。
【発明の概要】
【課題を解決するための手段】
【０００７】
一実施形態によれば、揮発性物質を分配するための分配システムは、その中に配置された開口部を備える第１壁部と、第１折り畳み線を中心に第１壁部の第１端部にヒンジ式に接続された第２壁部とを含む。
【０００８】
第１壁部は、その中に配置される孔をさらに含む。第３壁部は、第１折り畳み線を中心に第１壁部の第２端部にヒンジ式に接続される。第３壁部は、タブを含む。第１、第２及び第３壁部は、第１折り畳み線及び第２折り畳み線を中心に折り畳まれて第１状態で実質的に平坦な構造を形成する。第３壁部上のタブは、第２状態で第２壁の孔内に保持されるように適合される。
【０００９】
他の実施形態によれば、揮発性物質を分配するための分配システムは、その中に配置された開口部を備える第１壁部と、第１折り畳み線を中心に第１壁部の第１端部にヒンジ式に接続された第２壁部とを含む。第２壁部は、その中に配置される孔をさらに含む。第３壁部は、第２折り畳み線を中心に第１壁部の第２端部にヒンジ式に接続されて第４壁部は、第３折り畳み線を中心に第３壁部の端部にヒンジ式に接続される。第４壁部は、タブをさらに含む。第２壁部及び第４壁部は、第２状態に表示フレームの底部を形成し、第４壁部上のタブは、第２状態に第２壁部の孔内に保持されるように適合される。
【００１０】
また他の実施形態によれば、揮発性物質を分配するための分配システムは、第１折り畳み線を中心に第１壁部の第１端部にヒンジ式に接続された第２壁部と、ディスペンサーを備える第１壁部とを含む。第２壁部は、その中に配置される孔をさらに含む。第３壁部は、第２折り畳み線を中心に第１壁部の第２端部にヒンジ式に接続され、第４壁部は、第３折り畳み線を中心に第３壁部の端部にヒンジ式に接続される。第４壁部は、タブをさらに含む。分配システムは、第２状態で実質的に三角形の構造を形成し、第２壁部及び第４壁部は、実質的に三角形の構造の底部を形成する。
【００１１】
本発明におけるその他各種の態様および利点は、次の詳細な説明及び図面を参照して明らかになるだろう。
【図面の簡単な説明】
【００１２】
【図１】フレーム及びディスペンサーを含む第１状態の分配システムの正面図である。
【図２】図１のディスペンサーの正面等角図である。
【図３】図１のディスペンサーの背面斜視図である。
【図４】第１条件における図２のディスペンサーの４−４線に沿った断面図である。
【図５】第２条件における図２のディスペンサーの図４と同様の断面図である。
【図６】図１の分配システムの背面図である。
【図７】図１の分配システムの側面図である。
【図８】第２状態における図１の分配システムの正面等角図である。
【図９】広げた状態における図１のディスペンサー及びフレームの平面図である。
【図１０】広げた状態におけるディスペンサー及びフレームの第２の実施形態の平面図である。
【図１１】第２状態として示された、図１０に示した分配システムの第２の実施形態の正面等角図である。
【図１２】カートリッジ詰替用パッケージの正面図である。
【図１３】図１２のカートリッジ詰替用パッケージの背面図である。
【図１４】他のディスペンサーの正面等角図である。
【図１５】第２状態における図１２のパッケージの正面等角図である。
【図１６】第２の実施形態に係るカートリッジ詰替用パッケージの正面図である。
【図１７】広げた状態における図１６のパッケージの底面図である。
【図１８】第２状態として示された、図１６に示したパッケージの正面等角図である。
【図１９】図８の分配システムと同様の第２状態におけるパッケージの正面等角図である。
【図２０】図１１の分配システムと同様の第２状態におけるパッケージの正面等角図である。
【図２１】図９の分配システムと同様の広げた状態におけるパッケージの平面図である。
【図２２】図１０の分配システムと同様の広げた状態におけるパッケージの平面図である。
【発明を実施するための形態】
【００１３】
図１を参照すると、揮発性物質の分配システム２０が説明される。分配システム２０は、揮発性物質のディスペンサー２２及び表示フレーム２４を含む。分配システム２０は、システムが実質的に平面又は平坦な第１状態及び実質的に三角形の（図８参照）第２状態の間で折り畳まれることができる。表示フレーム２４は、第１壁部２６及び第１折り畳み線３０によって第１壁部２６の第１端部２６ａにヒンジ式に（ｈｉｎｇｅｄｌｙ）取付けた第２壁部２８を含む。第１壁部２６は、実質的に形状が長方形であってもよい。開口部３２が第１壁部２６内に配置される。第１壁部２６は、開口部３２の対向するコーナー上に位置する少なくとも２つの弓形のスリット３４をさらに含む。ディスペンサー２２のコーナー部３６ａ，３６ｂは、開口部３２内のディスペンサー２２を脱着可能に固定するようにスリット３４内に挿入してもよい。他の実施形態において、ディスペンサー２２は、スリット３４内に適合して保持されたり、脱着できないように表示フレーム２４に固定して取付けられる。第２壁部２８は、例えば、壁かけ表示物から分配システムを可能にする形状の孔３８を含む。
【００１４】
ディスペンサー２２は、図２〜図５でさらに説明される。図２及び図３を参照すると、ディスペンサー２２又はカートリッジは、ブリスター（ｂｌｉｓｔｅｒ）４４、周辺フランジ４６、及びブリスター４４と周辺フランジ４６に脱着可能に取付けた不透過薄膜４８を含む。ブリスター４４は、非多孔性の透過膜５０及びカップ状構造５２又は容器（ｒｅｓｅｒｖｏｉｒ）を含む。カップ状構造５２（図４及び図５を参照）は、透過膜５０と結合して揮発性物質５８を保持するように密封された容器の役割をする第４側壁５６及び底壁５４を含む。具体的には、カップ状構造５２及び透過膜５０は、透明及び／又は半透明な物質で作られ、揮発性物質５８がそれを通して見えるようにする。周辺フランジ４６は、平面でカップ状構造５２の上部端から外側に延びる。一実施形態では、周辺フランジ４６は、第４側壁５６の上部端から外側に延びて、一体化して形成される。本ディスペンサー２２及び揮発性物質５８は、米国特許第７，２１３，７７０号、同第７，５２３，５７７号、及び同第７，６６５，２３８号に記述されたものと同様である。
【００１５】
図４は、第１条件におけるディスペンサー２２を示す。ディスペンサー２２は、第１条件で完全に又は実質的にいっぱいに満たされ、すなわち、不透過薄膜４８がブリスター４４から除去されないために、ほとんど又は全く揮発性物質５８は透過膜５０を介して広がらない。ディスペンサー２２がいっぱいに満たされて不透過薄膜４８が透過膜５０を覆っているときは、揮発性物質５８の実質的な拡散はない。具体的には、不透過薄膜４８は、ユーザが不透過薄膜４８の端部を把持してブリスター４４からそれをはがすことによって、ブリスター４４から除去される。タブ、延長部、又は把持するための異なる手段が不透過薄膜４８の延長部として含まれてもよく、その除去を助ける。延長部は、不透過薄膜４８の表面、端部、及び／又はコーナーであってもよい。
【００１６】
不透過薄膜４８が除去された後に、ディスペンサー２２は、いっぱいに満たされた状態又は第１条件（図４）から空の状態又は第２条件（図５）に移り始める。ブリスター４４内に残る揮発性物質５８が少量存在してもよく、ディスペンサー２２は、第２条件に達したものとみなされてもよい。揮発性物質５８が透過膜５０を介して広がることによって、透過膜５０は、ゆっくりと底壁５４上で分裂する。図５を参照すると、透過膜５０にわたる揮発性物質５８が拡散後にディスペンサー２２内に含まれる揮発性物質５８は少ない。揮発性物質５８の拡散後に、実質的に新しい空気はディスペンサー２２に入らない。このような結果は、ディスペンサー２２内の圧力よりも周辺の空気中に存在する圧力が高いという透過膜５０にわたる圧力勾配（ｐｒｅｓｓｕｒｅ  ｇｒａｄｉｅｎｔ）による。圧力勾配は、ディスペンサー２２に正味圧力を加える周辺の空気によって、残りの揮発性物質５８、及び最終的に底壁５４に対して透過膜５０を加圧する。
【００１７】
図６を参照すると、表示フレーム２４の背面図が示され、第３壁部６６及び第４壁部６８をそれぞれ見ることができる。第３壁部６６は略矩形であり、第１壁部２６と実質的に同一の寸法である。第３壁部６６は、第２折り畳み線７０に沿って第１壁部２６の第２端部２６ｂに一体に接続される（図１参照）。図６を参照すると、第３壁部６６の端部６６ａは、第３折り畳み線７２に沿って第４壁部６８に接続される。第４壁部６８は、第２壁部２８内の孔３８と実質的に同一の寸法の孔７４とを含む。さらに、第４壁部６８は、孔３８内に脱着可能に嵌めこむことによってその中にタブ７６を保持し、第２状態で分配システムを保持するように適合したタブ７６を含む（図８参照）。
【００１８】
図７は、第１状態の分配システム２０の側面図を示す。分配システム２０が第１状態の時、表示フレーム２４は、第２折り畳み線７０を中心に折り畳まれて、第１壁部２６と第３壁部６６、及び第２壁部２８と第４壁部６８の各々は、実質的に均一に整列する。使用前に、分配システム２０は、例えば、壁かけ表示物内の孔３８，７４を通して壁にかけて吊り下げてもよい（図示せず）。壁かけ表示物が吊り下げられたときに、分配システム２０は、接着剤又はホッチキス又は当業者に公知の化学的又は機械的な底部の付着物などの障害物７８によって第１状態に保持されてもよい。ユーザは、第１壁部２６及び第３壁部６６が第２折り畳み線（又はヒンジ）７０を中心に互いに離れて回転できるように結合を解除したり、障害物７８を除去することによって第１状態から第２状態に分配システム２０を変形させることができる。この点で、ユーザは、分配システム２０の作動及び除去を容易にするようにディスペンサー２２の不透過薄膜４８へのアクセスを制御する。
【００１９】
第２状態において、分配システム２０は、図８に示したような実質的に三角形の形態を有する。第２状態は、第２壁部２８及び第４壁部６８を各々互いに向かってそれが略平坦で実質的に互いに接触するときまで回転させることによって達成される。第２壁部２２及び第４壁部６８は、スライド又は他の方法による位置決めによってタブ７６が孔３８内に挿入されて、その中に保持されるようにする。第２状態で、第２壁部２２及び第４壁部６８、表面８２上にある底部８０を形成し、表面８２上でディスペンサー２２を効率的に懸架するようにする。ディスペンサー２２を懸架することは、揮発性物質のディスペンサー２２内に含まれる揮発性物質５８の発散を促進する。活性化されると、ディスペンサー２２の透過膜５０は、揮発性物質の拡散を促進するように分配システム２０の内部空間８４内の空気に露出される。利点として、ディスペンサー２２のカップ状構造５２は、ユーザが活性化時にディスペンサー２２内に残留する揮発性物質５８の量を確認できるように、表示フレーム２４の外部から見ることができる。
【００２０】
内部空間８４は、好ましくは同じサイズの、２つの開口部８６ａ，８６ｂ（８６ａのみ図示）を介して周辺環境に露出される。開口部８６ａ，８６ｂの断面積は、第１壁部２６、第２壁部２８、第３壁部６６、及び第４壁部６８の各々の長さ（Ｌ１〜Ｌ４）の関数（ｆｕｎｃｔｉｏｎ）である（図９参照）。長さ（Ｌ１〜Ｌ４）は、開口部８６ａ，８６ｂの断面積を変更するために大きくしたり小さくすることができ、ディスペンサー２２からの揮発性物質５８の拡散をより多くしたり、より少なくしたりすることができる。
【００２１】
図１０及び図１１は、分配システム２０と類似の分配システム１２０の他の実施形態を示す。しかし、図１０の広げられた分配システム１２０と図９の広げられた分配システム２０を比較することによって示されるように、分配システム１２０は、３つの壁部、すなわち第１壁部２６、第２壁部１２２、及び第３壁部１２４を有することが分かる。第１壁部２６は、実質的に分配システム２０と略同様であり、ディスペンサー２２を収容する。第２壁部１２２は、折り畳み線１２６に沿って第１壁部２６の第１端部２６ａに接続される。第２壁部１２２は、孔３８をさらに含む。第３壁部１２４は、折り畳み線１２８に沿って第１壁部２６の第２端部２６ｂに接続されて孔３８内に保持される大きさのタブ７６を含む。タブ７６は、折り畳み線１３０に沿って第３壁部１２４にヒンジ式に取付けられる。
【００２２】
図１１は、図８の分配システム２０と類似の実質的に三角形の構造を形成する第２状態の図１０の分配システム１２０を示す。ここで、第２壁部１２２及び第３壁部１２４は、ブリスター４４が分配システム１２０の外面１３２上に残るように、折り畳み線１２６，１２８を中心に各々回転することによって互いに向かって折り畳まれる。タブ７６は、それが第２壁部１２２と略平坦になるまで折り畳み線１３０を中心に第２壁部１２２に向かって折り畳まれて、この時点でタブ７６は、第２状態の分配システム１２０を固定するように孔３８内に挿入される。第２状態において、第３壁部１２４は、表面８２上に残っている底部８０を形成する。
【００２３】
一実施形態では、分配システム２０，１２０は、第１壁部２６、第２壁部２８，１２２、第３壁部６６，１２４、及び選択的に第４壁部６８がそれらの各々の折り畳み線を中心に実質的に同一平面の構成で共に折り畳まれた第１状態のパッケージとして販売されてもよい。
【００２４】
他の実施形態において、分配システム２０，１２０には、形状及び／又は大きさを変更するディスペンサー２２及び／又は開口部が設けられる。例えば、ディスペンサー２２及び／又はカップ状構造５２は、矩形、円、三角形、又は、雪片や動物などの他の幾何学的形状にしてもよい。さらに、複数のディスペンサー２２がその中に配置された異なる又は同様の揮発性を有する単一の分配システム２０，１２０内に設けられてもよい。
【００２５】
ディスペンサー２２は、使用後に交換されてもよく、又は、全体の分配システム２０，１２０は、単回使用の分配システムとして捨てることも想定できる。さらに、再利用可能な接着剤を、ディスペンサー２２の壁部のうちの一部又は全部を保持するのに用いてもよく、選択的にディスペンサー２２の第１状態及び第２状態のうちの１つに配置してもよく、ディスペンサー２０の交換を容易にするために用いてもよい。
【００２６】
また他の実施形態において、分配システム２０，１２０は、使用中に、その側面上に配置されてもよい。本実施形態では、分配システム２０，１２０の左側又は右側のいずれかを規定する壁部の端は、支持面８２に隣接するように配置される。
【００２７】
図１２を参照すると、揮発性物質のディスペンサー２２のためのパッケージ２００が示されて、上述した表示フレームと同様である。パッケージ２００は、揮発性物質のディスペンサー又はカートリッジ詰替品２２、及び第１壁部２６を備える表示フレーム２４を含む。カートリッジ詰替品２２は、取付け手段によって表示フレーム２４に取り外し可能に取付けられて、表示フレームの開口部３２内に配置される。取付け手段は、開口部３２の周縁部２０４の近くに目打ち２０２を含んでもよい。一実施形態では、目打ち２０２は、表示フレーム２４の底端２０６に延びてもよい。第１壁部２６は、例えば、壁かけ表示物からパッケージ２００を掛けられるようにする形状を有する孔２０８を含む。カートリッジ詰替品２２が目打ち２０４によって表示フレーム２４に取り外し可能に取付ける時、カートリッジ詰替品は、図１３に示すように、表示フレーム２４の部分２１２に接着剤又は他の手段によって１つ以上の点２１０で接着されてもよい。使用時に、目打ち２０２は、図１４に示すように、個別のディスペンサー２０内で用いられるように表示フレーム２４からカートリッジ詰替品２２を除去するために分裂することができる。カートリッジ詰替品２２がパッケージ２００から除去された後に用いることができる追加的なディスペンサーの例示的な実施形態は、米国特許第７，４２６，７９９号及び米国特許出願２９／３９０，４５９号に開示されたものなどが挙げられる。
【００２８】
図１２及び図１３のパッケージ２００は、図１５に示したようなカートリッジ詰替品２２のためのディスペンサーとして機能してもよい。ここで、左側２１４、右側２１６、及び底側２１８の上の目打ち２０２がそれぞれ分裂して、カートリッジ詰替品はその上部側２２０を中心に回転して実質的に平面構造から非平面構造に表示フレーム２４を変更する。このような状態の３次元構造は、構造を通過して流れる空気によって影響をうけることができ、表面積を増加させることによって開かれたときにカートリッジ詰替品２２内に含まれた揮発性物質５８の分配を促進する。
【００２９】
パッケージ２００の他の実施形態は、図１６に示されている。ここで、パッケージ２００は、揮発性物質のディスペンサー２２及び表示フレーム２４を含む。パッケージ２００は、システムが略平面又は平坦な第１状態と実質的に三角形（図１８参照）の第２状態との間で折り畳み可能である。表示フレーム２４は、第１壁部２６及び折り畳み線３０によって第１壁部２６の第１端部２６ａにヒンジ式に取付ける第２壁部２８を含む。第１壁部２６及び第２壁部２８は、実質的に矩形であってもよく、必要に応じて大きさが変化してもよい。図１７に戻ると、開口部３２は、例えば、壁掛け表示部から分配システムをつるすことができるように形成された孔２０８と同様に第１壁部２６に配置される。第２壁部２８はまた、孔２０８と同様の形状の孔２２６を含む。
【００３０】
本実施形態では、ディスペンサー２２は、１つ以上の取付点２２４で接着剤２２２によって表示フレーム２４の開口部３２内に嵌め込むように保持される。好ましくは、接着剤２２２は、ユーザが個別のディスペンサーで使用するために、表示フレーム２４からカートリッジ詰替品２２を容易に除去できるように選択できる。さらに、接着剤２２２は、第１壁部２６と第２壁部２８とが互いに付着するように機能し、図１６に示すように、使用するまで第１状態にパッケージを保持する。
【００３１】
さらに、本発明パッケージ２００は、図１５及び図１８に示すように第２状態で表示フレーム２４を保持できるような十分な剛性を有するように、セルロース系材料、プラスチック材料、及びそれらの組合せで構成してもよい。別の可能な保持手段は、第１壁部２６から折り畳み線３０の近くの第２壁部２８に延びて第２状態で表示フレーム２４を保持する折り畳み可能なトラス２２８を含む（図１８参照）。
【００３２】
本明細書で考慮できる追加的なパッケージ２００は、上述した４つ及び３つのパネル分配システムの変形である。例えば、図１９及び図２０は、カートリッジ詰替品２２が開口部３２の周縁部２０４の周囲の目打ち２０２を分裂させることによって表示フレームから取り外せることを除いて、それぞれ図８及び図１１と同類の表示フレーム２４を示している。
【００３３】
同様に、図２１及び図２２（広げた状態の図）に示したパッケージ２００は、カートリッジ詰替品２２が取付点２２４で接着剤２２２によって表示フレーム２４に取付けられることを除いて、各々図９及び図１０に示したような４つ及び３つのパネル分配システムに近似する。ここで、接着剤２２２はまた、図１６に示したものと同様に、実質的に平坦な第１状態でパッケージ２００を取り外し可能に固定するのに役立つ。図２１に示したパッケージに対して、パッケージは、折り畳み線７０に沿って折り畳まれて、実質的に平坦な形態を実現する。図２２に示したパッケージに対して、第１壁部２６及び第３壁部１２４は、初めに折り畳み線１２８に沿って共に折り畳まれる。次に、第２壁部１２２は、実質的に平坦な構造を形成するように折り畳み線１２６に沿って第３壁部１２４上に折り畳まれる。
【００３４】
当業者は、本開示に関連して行うことができ、本明細書に含まれることが意図される多数の変形を理解することができる。他の実施形態は、本明細書に記述された実施形態のそれぞれの個別の特徴の様々な組合せ全てを含む。
【００３５】
本発明の詳細な説明で引用した全ての文献は、関連部分において、参照として本明細書に含まれる。文献の引用は、本発明に対する先行技術を承認するものと解釈されてはならない。
【産業上の利用可能性】
【００３６】
本明細書に記述された空気清浄剤分配システムは、好ましくはシステムの使用を容易にする第１状態と第２状態との間で調節可能な表示フレームの機能的及び審美的な特徴を組合せる。
【００３７】
様々な変形は上記の説明の観点から当業者に明らかである。したがって、この説明は、例示としてのみ解釈されるべきであり、当業者が本発明を用いて同一の実施を行うことのできる最良の形態を教示するために提示される。添付された請求項の範囲内にある全ての変更に対する独占的な権利が保たれる。
【図１】
0006045006.tif 000002
【図２】
0006045006.tif 000003
【図３】
0006045006.tif 000004
【図４】
0006045006.tif 000005
【図５】
0006045006.tif 000006
【図６】
0006045006.tif 000007
【図７】
0006045006.tif 000008
【図８】
0006045006.tif 000009
【図９】
0006045006.tif 000010
【図１０】
0006045006.tif 000011
【図１１】
0006045006.tif 000012
【図１２】
0006045006.tif 000013
【図１３】
0006045006.tif 000014
【図１４】
0006045006.tif 000015
【図１５】
0006045006.tif 000016
【図１６】
0006045006.tif 000017
【図１７】
0006045006.tif 000018
【図１８】
0006045006.tif 000019
【図１９】
0006045006.tif 000020
【図２０】
0006045006.tif 000021
【図２１】
0006045006.tif 000022
【図２２】
0006045006.tif 000023